(57)【要約】【課題】  厚手原稿の読み取り時にカバー部に不要な負荷がかからず、カバー部の破損を防止できる画像読取装置を提供する。【解決手段】  ＭＦＰ１０は、本体２０、カバー３０及びアーム４０Ａ，４０Ｂを備える。本体２０は、原稿が載置される原稿台２１を上面に有するとともに原稿の画像を読み取る画像読取部５０を原稿台２１の下方に有する。カバー３０は、原稿台の上面に対して開閉自在にされている。アーム４０Ａは、本体２０の上面に軸支された端部４１Ａ及びカバー３０を軸支する端部４２Ａを有し、端部４１Ａにおける回転軸と端部４２Ａにおける回転軸とは平行にされる。アーム４０Ｂは、アーム４０Ａと略同様に構成される。【選択図】  図６
2007043272.tif 000002
【特許請求の範囲】
【請求項１】
原稿が載置される原稿台を上面に有し前記原稿の画像を読み取る本体と、
前記原稿台の上面に対して開閉自在にされ前記原稿の上面を押え付けるカバー部と、
前記本体の上面に軸支された第１の端部及び前記カバー部を軸支する第２の端部を有し、前記第１の端部における回転軸と前記第２の端部における回転軸とが平行であるアームと、を備えたことを特徴とする画像読取装置。
【請求項２】
前記カバー部は、一部に電子機器を有し、
一端が前記電子機器に接続され、前記電子機器から前記アーム内を通って前記本体内に導かれている配線をさらに備えたことを特徴とする請求項１に記載の画像読取装置。
【発明の詳細な説明】
【技術分野】
【０００１】
この発明は、原稿を載置するための平面状の原稿台を上面に備えた所謂フラットベッドタイプの画像読取装置に関する。
【背景技術】
【０００２】
図１〜図３は、従来の画像読取装置を示す構成図である。フラットベッドタイプの従来の画像読取装置１は、上面に原稿台２Ａを有する本体２と、本体の上面に対して開閉自在にされたカバー部３と、を備えている。
【０００３】
カバー部３の後方側の端部にはヒンジ脚４の一方の端部４Ａが回動自在に取り付けられ、ヒンジ脚４の他方の端部４Ｂは、本体２内に挿入されている。このように、従来の画像読取装置１では、カバー部３が本体２に対して、１軸で開閉自在にされている（例えば、特許文献１及び２参照。）。そして、ヒンジ脚４は、本体２に対して上下方向に摺動自在にされている。
【０００４】
薄手の原稿を読み取る場合は、ヒンジ脚４のほとんどの部分が本体２内に挿入された状態でカバー部３が開閉される。また、本など厚手の原稿を読み取る場合は、原稿の上に被せたカバー部を押え付けることで、図３に示すように、ヒンジ脚４が上方に摺動してカバー部３が原稿台２Ａに対して略平行にされる。これによって、原稿は原稿台２Ａに対して略満遍なく押さえ付けられ、画像の白抜け等の不具合が抑制される。
【特許文献１】実開平６−７１８３０号公報
【特許文献２】実開昭６１−１１２３３９号公報
【発明の開示】
【発明が解決しようとする課題】
【０００５】
しかし、上述のように厚手の原稿の上に被せたカバー部３を原稿台２Ａに向けて押え付けると、原稿の厚み分だけヒンジ脚４が上方に摺動するが、この際、ヒンジ脚４と本体２との間には当然ながら所定の摩擦力があるため、カバー部３に、カバー部３を湾曲させる方向の大きな負荷がかかる。このため、カバー部３が破損する場合がある。
【０００６】
この発明の目的は、厚手原稿の読み取り時にカバー部に不要な負荷がかからず、カバー部の破損を防止できる画像読取装置を提供することにある。
【課題を解決するための手段】
【０００７】
この発明の画像読取装置は、上述の課題を解決するために以下のように構成される。
【０００８】
（１）原稿が載置される原稿台を上面に有し前記原稿の画像を読み取る本体と、前記原稿台の上面に対して開閉自在にされ前記原稿の上面を押え付けるカバー部と、前記本体の上面に軸支された第１の端部及び前記カバー部を軸支する第２の端部を有し、前記第１の端部における回転軸と前記第２の端部における回転軸とが平行であるアームと、を備えたことを特徴とする。
【０００９】
この構成においては、本体とカバー部とはアームで連結されており、アームは本体側の端部とカバー部側の端部とに平行な２つの回転軸を有している。原稿台上に厚手の原稿が載置された場合、アームが傾斜するとともに２つの回転軸が回転することで、カバー部は、原稿台から離間した位置で原稿台に対して平行に配置される。この際、カバー部は原稿台に対して平行にするために押え付けられることがなく、アームの２つの回転軸を中心に容易にカバー部の角度が変えられる。
【００１０】
（２）前記カバー部は、一部に電子機器を有し、一端が前記電子機器に接続され、前記電子機器から前記アーム内を通って前記本体内に導かれている配線をさらに備えたことを特徴とする。
【００１１】
カバー部の後方側の端部にヒンジ脚の一方の端部が回動自在に取り付けられ、ヒンジ脚の他方の端部が本体内に挿入されて、ヒンジ脚が本体に対して上下方向に摺動自在にされ、且つ、カバー部の電子機器の配線がヒンジ脚内を通って本体内に導かれている場合は、ヒンジ脚を摺動させるために配線のたるみが必要となる。しかし、配線にたるみがあると、ヒンジ脚の摺動時に配線がヒンジ脚によって傷付けられ、断線を生じる可能性がある。
【００１２】
この構成においては、アームは２つの回転軸で回転することで、カバー部が開閉し及びカバー部の角度が変更されるので、アームは摺動することがない。このため、配線をたるませる必要がない。
【発明の効果】
【００１３】
この発明によれば、以下の効果を奏することができる。
【００１４】
（１）カバー部は原稿台に対して平行にするために押え付けられることがなく、アームの２つの回転軸を中心に容易にカバー部の角度を変えることができるので、厚手原稿の読み取り時にカバー部に不要な負荷がかからず、カバー部の破損を防止することができる。
【００１５】
（２）アームは摺動することがなく配線をたるませる必要がないので、配線を傷付けることがない。したがって、カバー部の電子機器の断線による故障を防止することができる。
【発明を実施するための最良の形態】
【００１６】
以下に、この発明の実施形態について図面に基づいて説明する。図４は、この発明の実施形態に係る画像読取装置を包含するＭＦＰ（Multi Function Printer）１０の構成を示す斜視図である。図５は、ＭＦＰ１０を示す側面図である。図６は、フラットベッドカバー３０が原稿台２１から離間した状態のＭＦＰ１０を示す斜視図である。
【００１７】
ＭＦＰ１０は、本体２０、フラットベッドカバー（以下、カバーという。）３０、及び、本体２０とカバー３０とを連結するアーム４０Ａ，４０Ｂを備えている。ＭＦＰ１０は、本体２０内に光学式の画像読取部５０及びインクジェット方式の画像形成部６０を備え、コピー機能、ファックス機能、プリンタ機能、及び、スキャナ機能などを有している。なお、カバー３０は、この発明のカバー部に相当する。
【００１８】
本体２０は、透明ガラスからなる原稿台２１を上面に備えている。原稿台２１の上には種々の厚さの原稿が載置される。
【００１９】
カバー３０は、本体２０の上面に対して開閉自在にされており、原稿台２１上に載置された原稿の上面を押え付ける。また、カバー３０の上面には、液晶の表示部３１及び操作部３２が設けられている。表示部３１及び操作部３２のそれぞれは、この発明の電子機器に相当する。ＭＦＰ１０では、表示部３１がカバー３０に設けられているので、表示部３１を大きくすることができる。また、操作部３２は、表示部３１とともにカバー３０の上面に設けられているので、表示部３１を見ながらの操作が容易になる。
【００２０】
アーム４０Ａとアーム４０Ｂとは、左右対称であることを除いて同様に構成されている。アーム４０Ａの一方の端部４１Ａは、本体２０の上面であって後端部の側部に軸支されている。また、アーム４０Ａの他方の端部４２Ａは、カバー３０の側部を軸支している。端部４１Ａの回転軸と端部４２Ａの回転軸とは平行にされている。端部４１Ａは、この発明の第１の端部に相当する。端部４２Ａは、この発明の第２の端部に相当する。
【００２１】
図７は、ＭＦＰ１０の概略の構成を示すブロック図である。ＭＦＰ１０は、本体２０に、ＣＰＵ、ＲＯＭ及びＲＡＭなどを含む第１制御部７０を備えている。第１制御部７０には、画像読取部５０の光源５１、ＣＣＤラインセンサ５２、モータ及びクラッチなどを含む画像読取部負荷機器５３、並びに、画像形成部６０のモータ及びクラッチなどを含む画像形成部負荷機器６１などの入出力機器が接続され、第１制御部７０はこれらの入出力機器を統括的に制御している。例えば、第１制御部７０は、画像読取部５０で読み取った原稿の画像を画像データとして第１制御部７０内のメモリに記憶するとともに、カバー３０の第２制御部３３に出力する。
【００２２】
また、ＭＦＰ１０は、カバー３０に、ＣＰＵ、ＲＯＭ及びＲＡＭなどを含む第２制御部３３を備えている。第２制御部３３には、表示部３１及び操作部３２などの入出力機器が接続され、第２制御部３３はこれらの入出力機器を統括的に制御している。
【００２３】
なお、例えば、第２制御部３３は、画像処理用のプログラムを記憶しており、表示部３１に画像読取部５０で読み取られた画像を表示する。また、第２制御部３３は、操作部３２からの入力操作に基づいて、表示部３１に表示された画像を編集し、編集後の画像に対応する画像データを記憶するとともに、本体２０の第１制御部７０に出力する。第１制御部７０は、第２制御部３３から入力された画像データを画像形成部６０に出力し、編集後の画像を用紙に形成する。
【００２４】
図８（Ａ）は一部を透視したＭＦＰ１０を示す平面図であり、図８（Ｂ）は一部を透視したＭＦＰ１０を示す側面図である。図９（Ａ）は図８（Ａ）の一部を拡大した図であり、図９（Ｂ）は図８（Ｂ）の一部を拡大した図である。図１０（Ａ）は本体２０とアーム４０Ａとの連結部のヒンジユニット２２Ａを示す斜視図であり、（Ｂ）はアーム４０Ａとカバー３０との連結部のヒンジユニット２３Ａを示す斜視図である。
【００２５】
本体２０の上面であって後端部の一方の側部に、図１０（Ａ）に示すヒンジユニット２２Ａが取り付けられている。本体２０の上面であって後端部の他方の側部には、ヒンジユニット２２Ａと同様に構成されたヒンジユニット２２Ｂが取り付けられている。ヒンジユニット２２Ａにはアーム４０Ａの端部４１Ａが固定され、ヒンジユニット２２Ｂにはアーム４０Ｂの端部４１Ｂが固定されている。
【００２６】
また、カバー３０の一方の側部に、図１０（Ｂ）に示すヒンジユニット２３Ａが取り付けられている。カバー３０の他方の側部には、ヒンジユニット２３Ａと対称的に構成されたヒンジユニット２３Ｂが取り付けられている。ヒンジユニット２３Ａにはアーム４０Ａの端部４２Ａが固定され、ヒンジユニット２３Ｂにはアーム４０Ｂの端部４２Ｂが固定されている。
【００２７】
表示部３１及び操作部３２と電気的に接続された配線３４は、ヒンジユニット２３Ａに下側から架けられ、ヒンジユニット２３Ａの回りを螺旋状に１回転した後、アーム４０Ａ内を通ってヒンジユニット２２Ａに上側から架けられ、ヒンジユニット２２Ａの回りを螺旋状に１回転した後、本体２０内に導かれている。そして、配線３４は、本体２０内の第１制御部７０に電気的に接続されている。このため、カバー３０の開閉動作によって、配線３４がたるむことがない。また、配線３４と同様にして、一端を表示部３１及び操作部３２に接続された配線３５の他端が、アーム４０Ｂ内を通って本体２０内に導かれ、第１制御部７０に接続されている。
【００２８】
図１１は、厚手原稿の読取時のＭＦＰ１０を示す側面図である。上述のように構成されたＭＦＰ１０では、カバー３０は、アーム４０Ａが端部４１Ａを中心に回転し及びアーム４０Ｂが端部４１Ｂを中心に回転することで、上昇又は下降することができるとともに、端部４２Ａ，４２Ｂを中心に回転することで任意の角度に向きを変えることができる。
【００２９】
ＭＦＰ１０では、原稿台２１上に本などの厚手の原稿が載置された場合、アーム４０Ａの両端部４１Ａ，４２Ａ及びアーム４０Ｂの両端部４１Ｂ，４２Ｂのそれぞれにある２つの回転軸でアーム４０Ａ，４０Ｂが回転することで、カバー３０がユーザによって容易に持ち上げられて原稿台２１と平行に配置される。そして、カバー３０は、原稿台２１と平行を保ったまま原稿の上面を押え付ける。したがって、厚手原稿の画像の読取時に、白抜け等の不具合が抑制される。また、カバー３０に不要な負荷をかけることなくカバー３０を原稿台２１に対して平行にできるので、カバー３０を湾曲させる方向等の不要な負荷がカバー３０にかかることによるカバー３０の破損が防止される。
【００３０】
図１２は、薄手原稿の読取時のＭＦＰ１０を示す側面図である。ＭＦＰ１０において、原稿台２１上に薄手の原稿が載置された場合、アーム４０Ａの本体２０側の端部４１Ａ及びアーム４０Ｂの本体２０側の端部４１Ｂの回転軸でのみアーム４０Ａ，４０Ｂが回転することで、カバー３０は端部４１Ａ，４１Ｂを中心に開閉動作する。そして、カバー３０は、端部４１Ａ，４１Ｂを中心に閉じられることで、原稿台２１上の原稿の上面を押え付ける。このように、ＭＦＰ１０は、両端部に回転軸を有するアーム４０Ａ，４０Ｂを備えるにもかかわらず、薄手原稿の読取時などには、１つの回転軸を中心としたカバー３０の開閉動作を容易に行うことができる。
【００３１】
図１３は、表示部３１を見る場合及び操作部３２を操作する場合のＭＦＰ１０を示す側面図である。ＭＦＰ１０では、アームの本体２０側の端部４１Ａ，４１Ｂを中心にアーム４０Ａ，４０Ｂを所定角度まで起こすとともに、アームのカバー３０側の端部４２Ａ，４２Ｂを中心にしてカバー３０を回転させ、カバー３０の上面をユーザがいる正面側に向けることで、表示部３１が容易にユーザに視認され、操作部３２の操作が容易になる。
【００３２】
ＭＦＰ１０によれば、カバー３０は原稿台２１に対して平行にするために押え付けられることがなく、アーム４０Ａ，４０Ｂの両端の２つの回転軸を中心に容易にカバー３０の傾き角度を変えることができるので、厚手原稿の読み取り時にカバー３０に不要な負荷がかからず、カバー３０の破損を防止することができる。
【００３３】
また、アーム４０Ａ，４０Ｂは摺動することがなく配線３４，３５をたるませる必要がないので、配線３４，３５を傷付けることがない。したがって、カバー３０の表示部３１及び操作部３２の断線による故障を防止することができる。
【００３４】
さらに、表示部３１及び操作部３２がカバー３０に設けられているので、本体２０の上面に設けられている場合より、ＭＦＰ１０の小型化を図ることができる。
【００３５】
なお、画像形成部６０は、インクジェット方式に限定されず、例えば電子写真方式又はサーマル方式などであってもよい。
【００３６】
また、カバー３０が軽量である場合は、ヒンジユニット２２Ａ，２２Ｂのうち一方のみを本体２０の上面に設けてもよい。この場合、ヒンジユニットが設けられない方のアーム内に配線が通されることが望ましい。ヒンジユニットがない方が配線を通すことが容易になるからである。
【図面の簡単な説明】
【００３７】
【図１】従来の画像読取装置の構成を示す側面図である。
【図２】前記画像読取装置を斜め後方から見た一部分解斜視図である。
【図３】ヒンジ脚が上方に摺動した状態の前記画像読取装置の構成を示す側面図である。
【図４】この発明の画像読取装置の実施形態に係るＭＦＰ（Multi Function Printer）の構成を示す斜視図である。
【図５】前記ＭＦＰを示す側面図である。
【図６】カバーが原稿台から離間した状態の前記ＭＦＰを示す斜視図である。
【図７】前記ＭＦＰの概略の構成を示すブロック図である。
【図８】（Ａ）は一部を透視した前記ＭＦＰを示す平面図であり、（Ｂ）は一部を透視した前記ＭＦＰを示す側面図である。
【図９】（Ａ）は図８（Ａ）の一部を拡大した図であり、（Ｂ）は図８（Ｂ）の一部を拡大した図である。
【図１０】（Ａ）はアームとカバーとの連結部のヒンジユニットを示す斜視図であり、（Ｂ）は本体とアームとの連結部のヒンジユニットを示す斜視図である。
【図１１】厚手原稿の読取時の前記ＭＦＰを示す側面図である。
【図１２】薄手原稿の読取時の前記ＭＦＰを示す側面図である。
【図１３】表示部を見る場合及び操作部を操作する場合の前記ＭＦＰを示す側面図である。
【符号の説明】
【００３８】
１０  ＭＦＰ
２０  本体
２１  原稿台
２２Ａ，２２Ｂ，２３Ａ，２３Ｂ  ヒンジユニット
３０  カバー（カバー部）
３１  表示部（電子機器）
３２  操作部（電子機器）
３４，３５  配線
４０Ａ，４０Ｂ  アーム
４１Ａ，４１Ｂ  アームの端部（第１の端部）
４２Ａ，４２Ｂ  アームの端部（第２の端部）
５０  画像読取部
６０  画像形成部
【図１】
2007043272.tif 000003
【図２】
2007043272.tif 000004
【図３】
2007043272.tif 000005
【図４】
2007043272.tif 000006
【図５】
2007043272.tif 000007
【図６】
2007043272.tif 000008
【図７】
2007043272.tif 000009
【図８】
2007043272.tif 000010
【図９】
2007043272.tif 000011
【図１０】
2007043272.tif 000012
【図１１】
2007043272.tif 000013
【図１２】
2007043272.tif 000014
【図１３】
2007043272.tif 000015